(57)【要約】【課題】専門検査技師が生産基地に居ながらも、配送先において酸素等の生産物の純度を保証できるシステムを提供する。【解決手段】所定の配送先まで高純度が要求される生産物が配送されたときには、その配送車１側では、純度分析計１１による分析結果が取得され、所定トリガに応答して、分析結果に対する検討依頼が、この分析結果と共に生産物の検査技師が在駐する生産基地２側に送信される。生産基地２側では、受信された分析結果に基づき検査技師により検討結果が作成されて、これが配送車１側に返送されてくる。そして、配送車１側で受信された検討結果が、当該生産物が所定の基準純度以上であること示すものである場合には、この生産物の純度を保証する保証書１３ａが作成され出力される。【選択図】      図１
2004265032.tif 000002
【特許請求の範囲】
【請求項１】
高純度が要求される生産物を生産すると共に、この生産物の専門検査技師が在駐する生産基地から、所定の配送先まで配送された前記生産物の純度を保証するシステムであって、
前記生産物の配送車には、
前記生産物の純度を分析することが可能な純度分析計と、
前記純度分析計による分析結果を取得する分析結果取得手段と、
所定トリガに応答して、前記検査技師による前記分析結果に対する検討依頼を、前記分析結果と共に、無線回線を含む所定の通信網を介して前記生産基地側に送信する分析結果送信手段と、
前記生産基地側に装備される分析結果受信手段にて受信された前記分析結果に基づき前記検査技師により作成され、前記生産基地に装備される検討結果送信手段から送信されてくる、前記分析結果の検討結果を受信する検討結果受信手段と、
受信された前記検討結果が、前記生産物が所定の基準純度以上であることを示すものである場合には、前記生産物の純度を保証する保証書を作成する保証書作成手段と、
作成された前記保証書を出力する保証書出力手段と、が搭載される、
ことを特徴とする純度保証システム。
【請求項２】
請求項１記載の純度保証システムにおいて、
前記保証書作成手段は、
少なくとも、保証される純度を示す情報を含む保証書を作成する、
ことを特徴とする純度保証システム。
【請求項３】
請求項２記載の純度保証システムにおいて、
前記検討結果には、
前記検査技師を特定できる情報も含まれ、
前記保証書作成手段は、
前記検査技師を特定できる情報を含む保証書を作成する、
ことを特徴とする純度保証システム。
【請求項４】
請求項１〜３のいずれか一項に記載の純度保証システムにおいて、
前記配送車には、
前記検討結果が、前記生産物が所定の基準純度以上であることを示すものである場合においてのみ、配送先において前記生産物の供給を許可する供給制御手段、が更に搭載される、
ことを特徴とする純度保証システム。
【請求項５】
請求項１〜４のいずれか一項に記載の純度保証システムにおいて、
前記生産基地と前記配送車との間には、これらに通信接続された管理センタが介設されており、
前記管理センタは、
前記配送車側から送信されてくる、配送車特定情報、並びに、前記分析結果を取得したときの位置情報及び時刻情報を受信して、受信した前記配送車特定情報及び前記位置情報にそれぞれ対応する車両番号及び配送先を特定して、これら車両番号及び配送先を前記時刻情報と共に前記生産基地側に送信する、
ことを特徴とする純度保証システム。
【請求項６】
請求項５記載の純度保証システムにおいて、
前記管理センタは、
前記車両番号、前記配送先及び前記時刻情報を、前記生産基地側から送信されてくる前記検討結果と共に前記配送車側に送信し、
これらを受信した前記配送車側において、前記保証書作成手段は、前記車両番号、前記配送先及び前記時刻情報に基づく配送時刻を含む保証書を作成する、
ことを特徴とする純度保証システム。
【請求項７】
請求項１〜６のいずれか一項に記載の純度保証システムにおいて、
前記配送先は、医療機関であり、
前記生産物は、医療機関で使用される液体酸素である、
ことを特徴とする純度保証システム。
【発明の詳細な説明】
【０００１】
【発明の属する技術分野】
本発明は、生産基地で生産されて医療機関等に配送されてきた高純度が要求される液体酸素等の純度を保証するシステムに関する。
【０００２】
【従来の技術】
医療機関等においては、手術や治療等のために、多量の高純度の酸素が必要とされる。このような高純度の酸素は、図２に示すように、認可された専門検査技師が在駐する生産基地２にて液体酸素として生産されて、例えばタンクローリ車１等の所定の配送車のタンクに補填される。そして、この液体酸素は、タンクローリ車１にて、例えば医療機関６等の所定の配送先まで運搬されて、その貯蔵タンク６１に供給されるというようなシステムになっている。
【０００３】
このような医療機関等に納入されるような酸素の純度は、最終的に、専門検査技師により承認されることが必要であり、上述のようなシステムにおいては、生産現場である生産基地２に在駐する専門検査技師により分析されてその純度が測定される。そして、ここで測定された純度が、配送先である医療機関６等にて報告されるようになっている。
【０００４】
【発明が解決しようとする課題】
ところで、酸素の純度は、タンクローリ車１により長時間かけて配送されるうちに変化することもあり得る。したがって、生産基地２にて測定された酸素の純度と、配送先である医療機関６等における酸素の純度とは、厳密には異なる場合もあり得る。
【０００５】
しかしながら、上述のようなシステムによると、酸素の純度は、通常、生産基地２において確認されているのみで、配送先である医療機関６等において確認されていない。したがって、医療機関６等において、求められている基準純度を満たしてない酸素が供給されることも想定される。このようなシステムは、高純度酸素の利用者である医療機関６等に不安感を与えるものであり、好ましくない。タンクローリ車１に、専門検査技師を常時搭乗させて、医療機関６等に到着する毎に、納入すべき酸素の純度を測定すればよいのだが、現実的には、検査技師不足等の理由で、困難な場合が多い。
【０００６】
よって本発明は、上述した現状に鑑み、専門検査技師が生産基地に居ながらも、配送先において酸素等の生産物の純度を保証できるシステムを提供することを課題としている。
【０００７】
【課題を解決するための手段】
上記課題を解決するためになされた請求項１記載の純度保証システムは、図１の基本構成図に示すように、高純度が要求される生産物を生産すると共に、この生産物の専門検査技師が在駐する生産基地２から、所定の配送先まで配送された前記生産物の純度を保証するシステムであって、前記生産物の配送車１には、前記生産物の純度を分析することが可能な純度分析計１１と、前記純度分析計１１による分析結果を取得する分析結果取得手段１Ａと、所定トリガに応答して、前記検査技師による前記分析結果に対する検討依頼を、前記分析結果と共に、無線回線を含む所定の通信網を介して前記生産基地２側に送信する分析結果送信手段１Ｂと、前記生産基地２側に装備される分析結果受信手段２Ａにて受信された前記分析結果に基づき前記検査技師により作成され、前記生産基地２に装備される検討結果送信手段２Ｂから送信されてくる、前記分析結果の検討結果を受信する検討結果受信手段１Ｃと、受信された前記検討結果が、前記生産物が所定の基準純度以上であることを示すものである場合には、前記生産物の純度を保証する保証書１３ａを作成する保証書作成手段１Ｄと、作成された前記保証書１３ａを出力する保証書出力手段１Ｅと、が搭載される、ことを特徴とする。
【０００８】
請求項１記載の発明によれば、所定の配送先まで高純度が要求される生産物が配送されたときには、その配送車側では、純度分析計１１による分析結果が取得され、所定トリガに応答して、分析結果に対する検討依頼が、この分析結果と共に生産物の検査技師が在駐する生産基地２側に送信される。生産基地２側では、受信された分析結果に基づき検査技師により検討結果が作成されて、これが配送車１側に返送されてくる。そして、配送車１側で受信された検討結果が、当該生産物が所定の基準純度以上であること示すものである場合には、この生産物の純度を保証する保証書１３ａが作成され出力される。
【０００９】
上記課題を解決するためになされた請求項２記載の純度保証システムは、図１の基本構成図に示すように、請求項１記載の純度保証システムにおいて、前記保証書作成手段１Ｄは、少なくとも、保証される純度を示す情報を含む保証書１３ａを作成する、ことを特徴とする。
【００１０】
請求項２記載の発明によれば、保証書１３ａには保証される純度を示す情報が含まれる。
【００１１】
上記課題を解決するためになされた請求項３記載の純度保証システムは、図１の基本構成図に示すように、請求項２記載の純度保証システムにおいて、前記検討結果には、前記検査技師を特定できる情報も含まれ、前記保証書作成手段１Ｄは、前記検査技師を特定できる情報を含む保証書１３ａを作成する、ことを特徴とする。
【００１２】
請求項３記載の発明によれば、保証書１３ａには検査技師を特定できる情報も含まれる。
【００１３】
上記課題を解決するためになされた請求項４記載の純度保証システムは、図１の基本構成図に示すように、請求項１〜３のいずれか一項に記載の純度保証システムにおいて、前記配送車１には、前記検討結果が、前記生産物が所定の基準純度以上であることを示すものである場合においてのみ、配送先において前記生産物の供給を許可する供給制御手段１Ｆ、が更に搭載される、ことを特徴とする。
【００１４】
請求項４記載の発明によれば、検討結果が生産物が所定の基準純度以上であることを示すものである場合においてのみ、配送先において生産物の供給が許可されるので、基準に満たない純度の生産物は供給されることがない。
【００１５】
上記課題を解決するためになされた請求項５記載の純度保証システムは、図１の基本構成図に示すように、請求項１〜４のいずれか一項に記載の純度保証システムにおいて、前記生産基地２と前記配送車１との間には、これらに通信接続された管理センタが介設されており、前記管理センタは、前記配送車１側から送信されてくる、配送車特定情報、並びに、前記分析結果を取得したときの位置情報及び時刻情報を受信して、受信した前記配送車特定情報及び前記位置情報にそれぞれ対応する車両番号及び配送先を特定して、これら車両番号及び配送先を前記時刻情報と共に前記生産基地２側に送信する、ことを特徴とする。
【００１６】
請求項５記載の発明によれば、生産基地２と配送車１との間に介設された管理センタにて、配送車１側から送信されてくる配送車特定情報及び位置情報に基づいて車両番号及び配送先が特定され、これらが生産基地２側に送信される。
【００１７】
上記課題を解決するためになされた請求項６記載の純度保証システムは、図１の基本構成図に示すように、請求項５記載の純度保証システムにおいて、前記管理センタは、前記車両番号、前記配送先及び前記時刻情報を、前記生産基地２側から送信されてくる前記検討結果と共に前記配送車１側に送信し、これらを受信した前記配送車１側において、前記保証書作成手段１Ｄは、前記車両番号、前記配送先及び前記時刻情報に基づく配送時刻を含む保証書１３ａを作成する、ことを特徴とする。
【００１８】
請求項６記載の発明によれば、配送車１の車両番号、生産物の配送先及び配送時刻を更に含む保証書１３ａが作成される。
【００１９】
上記課題を解決するためになされた請求項７記載の純度保証システムは、図１の基本構成図に示すように、請求項１〜６のいずれか一項に記載の純度保証システムにおいて、前記配送先は、医療機関であり、前記生産物は、医療機関で使用される液体酸素である、ことを特徴とする。
【００２０】
請求項７記載の発明によれば、配送先は医療機関であり、生産物は医療機関で使用される液体酸素であるので、医療現場における人命にかかわる不測の事態を確実に回避することができる。
【００２１】
【発明の実施の形態】
以下、本発明の実施の形態を図面に基づいて説明する。図２は、本発明の一実施形態に係るシステム構成を示す図である。ここでは、医療機関に液体酸素を配送する例を用いて本発明を説明する。また、現実的には、タンクローリ車及び配送先は複数存在するが、ここでは、代表してそれぞれひとつずつ示す。
【００２２】
図２において、タンクローリ車１（請求項中の配送車に対応する）は、生産基地２にて生産された液体酸素（請求項中の生産物に対応する）をそのタンクに補填して、これを図中矢印で示すように、配送先である医療機関６まで運搬する。タンクローリ車１が医療機関６に到着すると、液体酸素はタンクローリ車１のタンクから医療機関６に装備される貯蔵タンク６１に補填されてこの医療機関６に納入される。この納入の際に、後述の本発明に係る保証書の発行等が行われる。
【００２３】
タンクローリ車１には、車載通信装置１０、これに接続された純度分析計１１、供給制御装置１２及び印字装置１３等が搭載されている。タンクローリ車１に搭載される車載通信装置１０は、ＧＰＳ（Ｇｌｏｂａｌ  Ｐｏｓｉｔｉｏｎｉｎｇ  Ｓｙｓｔｅｍｓ）を構成する複数のＧＰＳ衛星７から提供される測位用電波であるＧＰＳ信号を受信し、これを利用して自車両の位置情報や時刻情報を取得する。また、車載通信装置１０は、携帯電話パケット通信網４を介して、純度分析計１１による酸素の分析結果を、生産基地２に提供するために、一旦これを管理センタ５に送信したり、インターネット３を介して、インターネット端末２０から送信されてくる、酸素が基準純度以上であることを承認する承認信号等を受信して、供給制御装置１２に酸素の供給許可を指令したり、印字装置１３に保証書の印字を指令したりする。なお、車載通信装置１０、純度分析計１１、供給制御装置１２及び印字装置１３については、図３を用いて説明を加える。
【００２４】
生産基地（以下、単に、基地ともよぶ）２は、医療機関６に納入する高純度の液体酸素を生産する。また、生産基地２は、周知のマイクロコンピュータで構成され、インターネット３に通信接続されて外部と通信可能なインターネット端末２０を装備する。インターネット端末２０は、周知のように、入力部２０１や表示部２０２を有する。また、この生産基地２には、ここで生産されて医療機関６に納入される酸素を分析したり、その純度を測定して正式に承認することができる専門検査技師が駐在している。
【００２５】
携帯電話パケット通信網４は、例えば、株式会社ＮＴＴドコモからサービス提供されているＤｏＰａが利用される。このサービスは、携帯電話網においてパケット交換方式を利用したデータ通信サービスであり、通信したデータ量に応じて通信料が計算されるデータ従量制課金方式である。この携帯電話パケット通信網４には、無線基地局４１を介して、上記車載通信装置１０が通信接続される。また、携帯電話パケット通信網４には、例えば、ＮＴＴドコモのｉモードセンタと呼ばれる接続センタ４２及び専用回線４３を介して、管理センタ５のＡＳＰサーバ５０が通信接続される。
【００２６】
管理センタ５は、インターネット３を介して生産基地２のインターネット端末２０にも通信接続されている。管理センタ５は、近年普及しつつある、いわゆる、ＡＳＰ（Ａｐｐｌｉｃａｔｉｏｎ  Ｓｅｒｖｉｃｅ  Ｐｒｏｖｉｄｅｒ）である。管理センタ５は、ＡＳＰサーバ５０を含んで構成され、通信制御装置１０から送信されてくる、装置ＩＤ、位置情報、時刻情報、酸素の純度分析結果等を受信してこれらをインターネット端末２０に送信したり、逆に、インターネット端末２０から送信されてくる、上記承認信号を受信して、これを通信制御装置１０側に送信したりする。このような通信シーケンスの中で、管理センタ５は、装置ＩＤ及び位置情報をそれぞれ対応する車両番号及び配送先に変換して、インターネット端末２０や通信制御装置１０に送信している。なお、ＡＳＰサーバ５０の構成については、図４を用いて説明を加える。
【００２７】
次に、図３及び図４を用いて、上記タンクローリ車１に搭載される車載通信装置１０及び管理センタ５に装備されるＡＳＰサーバ５０の構成について説明を加える。図３は、本発明の一実施形態に係る車載通信装置及びこれに接続される装置類を示すブロック図である。図４は、本発明の一実施形態に係るＡＳＰサーバを示すブロック図である。
【００２８】
車載通信装置１０は、図３に示すように、予め定められたプログラムにしたがって動作するμＣＯＭ（マイクロコンピュータ）１０１を有する。μＣＯＭ１０１は、周知のように、予め定めたプログラムにしたがって各種の処理や制御等を行うＣＰＵ（中央演算処理装置）１０１ａ、ＣＰＵ１０１ａのためのプログラム等を格納した読み出し専用のメモリであるＲＯＭ１０１ｂ、各種のデータを格納すると共にＣＰＵ１０１ａの処理作業に必要なエリアを有する読み出し書き込み自在のメモリであるＲＡＭ１０１ｃ等を有して構成される。
【００２９】
また、μＣＯＭ１０１には、ＥＥＰＲＯＭ（装置本体がオフ状態の間も記憶内容の保持が可能な電気的消去／書き換え可能な読み出し専用のメモリ）１０２が接続されており、このＥＥＰＲＯＭ１０２には、少なくとも、この装置を特定するための装置ＩＤ１０２ａが、格納されている。なお、装置ＩＤ１０２ａは装置１０を特定できると同時に、この装置１０を搭載するタンクローリ車１も特定できる。したがって、装置ＩＤ１０２ａは、この実施形態では、後述の保証書１３ａ上に印字される車両番号を取得するために利用されるもので、請求項中の配送車特定情報に対応する。
【００３０】
車載通信装置１０は更に、周知のＧＰＳ受信機１０３、送受信部１０４を備える構成となっている。そして、ＧＰＳ受信機１０３及び送受信部１０４はそれぞれ、インタフェース部１０５を介してμＣＯＭ１０１に接続されている。
【００３１】
ＧＰＳ受信機１０３は、車両１の現在位置を検出するために、周知のように、ＧＰＳを構成する複数のＧＰＳ衛星７（図２参照）が発射する電波を受信して、このＧＰＳ受信機１０３の現在の位置情報を求め、この現在の位置情報をインタフェース部１０５を介してμＣＯＭ１０１に出力している。送受信部１０４は、無線基地局４１を介して、携帯電話パケット通信網４に無線接続される。この送受信部１０４は、μＣＯＭ１０１から入力される位置情報等の各種情報を管理センタ５等に無線にて送信することが可能である。
【００３２】
更に、μＣＯＭ１０１には、各種外部機器とのインターフェース機能を有する図示しない入出力部を介して、純度分析計１１、供給制御装置１２及び印字装置１３が接続されている。純度分析計１１は、周知の装置が利用可能であり、この実施形態では、タンクローリ車１のタンク内の液体酸素を分析して、生産基地２に駐在する専門検査技師が純度の承認するための分析結果を提供するものである。
【００３３】
供給制御装置１２は、液体酸素が補填されているタンクローリ車１のタンクの供給弁を開閉制御する装置である。後述するが、この供給制御装置１２は、酸素が基準純度以上であることを示す承認信号が検出されたときのみ、μＣＯＭ１０１に指令されて供給弁を開放許可する。
【００３４】
印字装置１３は、例えば、タクシ用としても用いられている車載可能な小型プリンタである。この印字装置１３は、μＣＯＭ１０１からの指令により、図６に示すような保証書１３ａを印字する。印字装置１３は、請求項中の保証書作成手段に対応する。
【００３５】
一方、ＡＳＰサーバ５０は、周知のコンピュータを用いて構成され、図４に示すように、予め定めたプログラムにしたがって装置全体の動作の制御等を行うＣＰＵ（中央演算処理装置）５０ａを有している。このＣＰＵ５０ａには、バス５４を介してＣＰＵ５０ａのためのプログラム等を格納した読み出し専用のメモリであるＲＯＭ５０ｂ、ＣＰＵ５０ａの処理作業に必要な各種データを格納する作業エリア等を有する読み出し書き込み自在のメモリであるＲＡＭ５０ｃが接続されている。
【００３６】
ＣＰＵ５０ａには更に、ハードディスク等で構成される記憶装置５０ｄがバス５４を介して接続されている。この記憶装置５０ｄには、少なくとも、車両データ５０ｄ１及び地図データ５０ｄ２が格納されている。車両データ５０ｄ１は、装置ＩＤと車両番号とを対応づけるテーブルや、車両に関する各種データから構成される。地図データ５０ｄ２は、装置１０から送信されてくる位置情報と地名とを対応づけるテーブルから構成される。車両データ５０ｄ１及び地図データ５０ｄ２はそれぞれ、保証書１３ａに印字する車両番号及び配送先を特定するために利用される。記憶装置５０ｄには、図示しないが、ユーザ（生産基地２側のサービス加入者）に関する各種データや本発明の処理に係るプログラムファイル等も記憶されている。
【００３７】
ＣＰＵ５０ａには更に、入力装置Ｉ／Ｆ（インタフェース）５０ｅ、表示装置Ｉ／Ｆ（インタフェース）５０ｆ及び通信装置Ｉ／Ｆ（インタフェース）５０ｇがバス５４を介して接続されている。入力装置Ｉ／Ｆ５０ｅに、キーボードやマウスを有して構成する入力装置５１が接続されると、入力装置５１から入力された各種入力データは、バス５４を介してＣＰＵ５０ａに入力される。
【００３８】
表示装置Ｉ／Ｆ５０ｆには、ＣＲＴや液晶ディスプレイ等を用いて構成される表示装置５２が接続されている。そして、この表示装置Ｉ／Ｆ５０ｆは、表示装置５２の表示内容をＣＰＵ５０ａからの指令に基づいて制御する。
【００３９】
通信装置Ｉ／Ｆ５０ｇには、通信装置５３が接続されており、この通信装置５３としては携帯電話用モデム、ＬＡＮカード等の通信機器を用いている。そして、携帯電話パケット通信網４、インターネット３等を介して、車載通信装置１０等からの情報を受信すると共に、ＣＰＵ５０ａから入力される情報を車載通信装置１０等に送信する。
【００４０】
このような構成による本純度保証システムに係る処理手順、通信シーケンス及び保証書の印字例を、図５及び図６を用いて説明する。図５は、本発明の一実施形態に係るタンクローリ車側、管理センタ側及び生産基地側の処理手順、並びにこれらの間の通信シーケンスを示すフローチャートである。図６は、本発明の一実施形態に係る保証書の印字例を示す図である。なお、現実的には、タンクローリ車は複数存在するが、それらの通信シーケンスは同様であるので、ここでは、代表してひとつのタンクローリ車における処理手順のみを示す。正確には、タンクローリ車側、管理センタ側及び生産基地側の処理手順はそれぞれ、車載通信装置１０、ＡＳＰサーバ５０及びインターネット端末２０による処理手順を示す。
【００４１】
図５に示すタンクローリ車側処理のステップＳ１０１においては、純度分析計１１による分析結果が取り込まれる。なお、純度分析計１１の操作者は、タンクローリ車の運転者や同乗者である。ステップＳ１０２においては、保証書の印字トリガが待機されている（ステップＳ１０２のＮ）。印字トリガは、印字装置１３に設けられているスイッチ類の操作としてもよいし、車載通信装置１０に接続可能な図示しないスイッチユニットの操作としてもよい。このような印字トリガがあるとステップＳ１０３以降の処理に進む（ステップＳ１０２のＹ）。なお、上記ステップＳ１０１は、請求項中の分析結果取得手段に対応する。
【００４２】
次に、ステップＳ１０３においては、ＧＰＳ受信機１０３が起動されてＧＰＳ信号の受信動作が開始され、受信されたＧＰＳ信号に基づき周知の手法を用いて現在の位置情報が取得される。これと共に、ステップＳ１０４において、ＧＰＳ信号に含まれる時刻情報も取得される。但し、時刻情報は必ずしもＧＰＳ信号を利用して取得する必要はなく、車載通信装置１０のタイマ機能を利用することも可能である。次に、ステップＳ１０５において、ＥＥＰＲＯＭ１０２から装置ＩＤ１０２ａが取得される。そして、ステップＳ１０６において、上記分析結果、位置情報、時刻情報及び装置ＩＤが関連づけられて検討依頼と共に、管理センタ５側に送信される。これら送信データは、送受信部１０４、携帯電話パケット通信網４、及び専用回線４３等を介して、管理センタ５側に至る。なお、上記ステップＳ１０６は、請求項中の分析結果送信手段に対応する。
【００４３】
管理センタ側では、ステップＳ５０１において、上記タンクローリ車側からの送信されてくる分析結果、位置情報、時刻情報、装置ＩＤ及び検討依頼が受信待機されており（ステップＳ５０１のＮ）、これらが受信されるとステップＳ５０２に進む（ステップＳ５０１のＹ）。ステップＳ５０２においては、記憶装置５０ｄ中の車両データ５０ｄ１が参照されて、受信された装置ＩＤに対応する車両番号が特定される。また、ステップＳ５０３においては、記憶装置５０ｄ中の地図データ５０ｄ２が参照されて、受信された位置情報に対応する地名、すなわち、配送先が特定される。そして、ステップＳ５０４において、上記分析結果、配送先、時刻情報、車両番号及び検討依頼が、基地２側に送信される。これら送信データは、通信装置５３、専用回線４３、インターネット３等を介して、基地２側に至る。
【００４４】
基地側では、ステップＳ２０１において、上記管理センタ側からの送信されてくる分析結果、配送先、時刻情報、車両番号及び検討依頼が受信待機されており（ステップＳ２０１のＮ）、これらが受信されるとステップＳ２０２に進む（ステップＳ２０１のＹ）。ステップＳ２０２においては、受信された分析結果、配送先、時刻情報、車両番号が検討依頼と共に、表示部２０２上に表示される。ステップＳ２０１は、請求項中の分析結果受信手段に対応する。
【００４５】
生産基地２に駐在する専門検査技師は、受信された分析結果に基づき、酸素の純度が、求められる基準純度、例えば、９９．５％以上であるか否かを厳密に検査する。この際、検査技師は、配送先、時刻情報、車両番号を参照してもよい。例えば、配送先、時刻情報、車両番号等が常識的におかしいときには、たとえ酸素の純度が基準純度を満たしていても、承認を保留する等の処置をとることができる。このようにして、酸素の純度が基準純度であることを確認しこれを承認できるのであれば、その旨を示す承認信号を送信するための送信トリガを、入力部２０１等を用いて入力する。ここで、検査技師名や承認番号等も同時に入力するようにしてもよい。また、承認できる酸素の純度も同時に入力するようにしてもよい。検査技師名はこの承認をした検査技師を特定できるものであればＩＤ記号等であってもよい。また、承認番号は、それぞれの承認毎に付けられる番号であり、この承認番号を引用することにより、検査技師名や検査内容を引き出すことが可能である。
【００４６】
ステップＳ２０３において、承認信号送信トリガがありと判定されば（ステップＳ２０３のＹ）、ステップＳ２０４に進んで承認信号が送信されるが、さもなければ（ステップＳ２０３のＮ）、承認信号は送信されない。この承認信号には、上記検査技師名や承認番号も含まれるものとする。また、承認できる酸素の純度が含まれていてもよい。承認信号は、請求項の検討結果に含まれる。このような承認信号は、上記と同様の通信経路を介して逆方向に送信されて管理センタ側に至る。いうまでもなく、承認信号にインターネット端末２０のアドレスも付加されて送信される。なお、承認信号を送信するのみならず、酸素が基準純度に満たない場合には、その旨の情報を含む非承認信号をインターネット端末２０に送信するようにしてもよい。ステップＳ２０４は、請求項中の分析結果送信手段に対応する。
【００４７】
基地側では、ステップＳ５０５において、基地側からの送信されてくる承認信号が受信待機されており（ステップＳ５０５のＮ）、これが受信されるとステップＳ５０６に進み（ステップＳ５０５のＹ）、承認信号をタンクローリ車側に送信する。この承認信号は、上記と同様の通信経路を介して逆方向に送信されてタンクローリ車側に至る。なお、この承認信号と共に、上記ステップＳ５０２及びステップＳ５０３で特定された配送先及び車両番号、更には、ステップＳ５０１で受信された時刻情報を送信するようにしてもよい。すなわち、配送先、車両番号及び時刻情報は、タンクローリ車側単独でも当然わかるものなので、必ずしも、ここで返送する必要はないが、基地側に送信した配送先、車両番号及び時刻情報を、敢えて承認信号と共に返送することにより、配送先、車両番号及び時刻情報と、承認信号とのリンクが確実になる。
【００４８】
タンクローリ車側では、ステップＳ１０７において、管理センタ側からの送信されてくる承認信号が受信待機されており（ステップＳ１０７のＮ）、これが受信されるとステップＳ１０８に進む（ステップＳ１０７のＹ）。ステップＳ１０８においては、供給制御装置１２が指令されて、液体酸素のタンクローリ車１のタンクから医療機関６の貯蔵タンク６１への補填が許可される。許可された後に通常の弁開のための所定操作が行われると、これに応答して、タンクローリ車１のタンクから医療機関６の貯蔵タンク６１へに液体酸素が補填される。このように、承認信号が受信された場合においてのみ、酸素の供給が許可されるので、基準に満たない純度の酸素は供給されることがない。したがって、低純度の酸素の誤使用を確実に回避することができる。ステップＳ１０８は、請求項中の供給制御手段に対応する。
【００４９】
更に、ステップＳ１０９においては保証書１３ａが作成され、ステップＳ１１０においてこれが印字装置１３にて紙上に印字される。この保証書１３ａ上には、図６に示すように、表題１３ａ１、配送日１３ａ２、保証する純度を含む保証文１３ａ３、車両番号１３ａ４、配送時刻１３ａ５、配送先１３ａ６、検査技師１３ａ７、承認番号１３ａ８及び酸素を生産した会社名１３ａ９等が印字される。なお、ステップＳ１０９及びステップＳ１１０はそれぞれ、請求項中の保証書作成手段及び保証書出力手段に対応する。
【００５０】
配送日１３ａ２及び配送時刻１３ａ５は、ステップＳ１０４で取得された時刻情報に基づく。保証文１３ａ３は、図６に例示するような、少なくとも保証する純度（９９．５％）を含む固定的な内容であってもよいし、承認信号に上記酸素の純度が含まれている場合には、その純度を示す数字の部分だけを上記保証文１３ａ３において変更した内容であってもよい。いずれにしても、保証書１３ａには保証される純度を示す情報が含まれるので、配送先に安心感を与えることができる。
【００５１】
車両番号１３ａ４はステップＳ１０５で取得された装置ＩＤに基づく。配送先１３ａ６は、ステップＳ１０３で取得された位置情報に基づく。検査技師１３ａ７及び承認番号１３ａ８は、承認信号に含まれる基地側で入力された情報に基づく。検査技師１３ａ７及び承認番号１３ａ８を印字することにより、必要時には、基地側での検討結果の詳細を確認することも可能になる。会社名１３ａ９は、車載通信装置１０のＥＥＰＲＯＭ１０２や印字装置１３のメモリに予め記憶させておいたものを利用してもよいし、管理センタ側に登録しておき、承認信号と同時に受信したものを利用するようにしてもよい。
【００５２】
このように本発明の実施形態によれば、液体酸素等の配送先において、上述のような保証書１３ａを印字することが可能なので、専門の検査技師が生産基地に居ながらも配送先にて酸素等の生産物の純度を保証できる。したがって、配送先である医療機関６等に大きな安心感を与えることができる。また、医療現場における人命にかかわる不測の事態を確実に回避することができる。
【００５３】
なお、本発明は、上記実施形態に限定されず、その主旨を逸脱しない範囲で適宜変更可能である。例えば、図６示した保証書の印字例は、他のパターンでもよい。例えば、タンクローリ車の運転者名を併記するようにしてもよい。また、配送車はタンクローリ車以外であってもよいし、配送される生産物は酸素以外であってもよい。したがって、これにともない専門検査技師もそれに対応した技師となる。例えば、生産物が医療用ガスである場合には、上記専門検査技師は薬剤師となる。発明中の検査技師とは、このように生産物に応じた各種検査技師を示すものである。更に、生産基地や配送先はそれぞれ複数であってもよい。
【００５４】
【発明の効果】
以上説明したように、請求項１記載の発明によれば、所定の配送先まで高純度が要求される生産物が配送されたときには、その配送車側では、純度分析計１１による分析結果が取得され、所定トリガに応答して、分析結果に対する検討依頼が、この分析結果と共に生産物の検査技師が在駐する生産基地２側に送信される。生産基地２側では、受信された分析結果に基づき検査技師により検討結果が作成されて、これが配送車１側に返送されてくる。そして、配送車１側で受信された検討結果が、当該生産物が所定の基準純度以上であること示すものである場合には、この生産物の純度を保証する保証書１３ａが作成され出力される。したがって、専門検査技師が生産基地２に居ながらも、配送先にて生産物が常に所定の基準純度以上であることを保証できる。
【００５５】
請求項２記載の発明によれば、保証書１３ａには保証される純度を示す情報が含まれるので、配送された生産物の配送先に安心感を与えることができる。
【００５６】
請求項３記載の発明によれば、保証書１３ａには検査技師を特定できる情報も含まれるので、必要時には、検討結果の詳細を確認することも可能になり、配送先に大きな安心感を与えることができる。
【００５７】
請求項４記載の発明によれば、検討結果が生産物が所定の基準純度以上であることを示すものである場合においてのみ、配送先において生産物の供給が許可されるので、基準に満たない純度の生産物は供給されることがない。したがって、純度の低い生産物の誤使用を確実に回避することができる。
【００５８】
請求項５記載の発明によれば、生産基地２と配送車１との間に介設された管理センタにて、配送車１側から送信されてくる配送車特定情報及び位置情報に基づいて車両番号及び配送先が特定され、これらが生産基地２側に送信される。したがって、生産基地２側で分析結果を検討するための、有用な付加情報を与えることができる。
【００５９】
請求項６記載の発明によれば、配送車１の車両番号、生産物の配送先及び配送時刻を更に含む保証書１３ａが作成されるので、配送先に更に大きな安心感を与えることができる。
【００６０】
請求項７記載の発明によれば、配送先は医療機関であり、生産物は医療機関で使用される液体酸素であるので、医療現場における人命にかかわる不測の事態を確実に回避することができる。
【図面の簡単な説明】
【図１】本発明の基本構成を示すブロック図である。
【図２】本発明の一実施形態に係るシステム構成を示す図である。
【図３】本発明の一実施形態に係る車載通信装置及びこれに接続される装置類を示すブロック図である。
【図４】本発明の一実施形態に係るＡＳＰサーバを示すブロック図である。
【図５】本発明の一実施形態に係るタンクローリ車側、管理センタ側及び生産基地側の処理手順、並びにこれらの間の通信シーケンスを示すフローチャートである。
【図６】本発明の一実施形態に係る保証書の印字例を示す図である。
【符号の説明】
１  タンクローリ車（配送車）
２  生産基地（基地）
３  インターネット
４  携帯電話パケット通信網
５  管理センタ
６  医療機関
１０  車載通信装置
１１  純度分析計
１２  供給制御装置
１３  印字装置
１３ａ  保証書
２０  インターネット端末
５０  ＡＳＰサーバ
【図１】
2004265032.tif 000003
【図２】
2004265032.tif 000004
【図３】
2004265032.tif 000005
【図４】
2004265032.tif 000006
【図５】
2004265032.tif 000007
【図６】
2004265032.tif 000008